(57)【特許請求の範囲】
【請求項１】
液透過性の表面シート、液不透過性の裏面シート、及びこれらの両シート間に介在する吸収体を有し、着用時に着用者の腹側に位置する腹側部、背側に位置する背側部、該腹側部と該背側部との間に配置される股下部とが設けられており、上記背側部の左右両側縁部に機械的ファスナーの凸部材又は凹部材を備えた係合部材が連設され、上記腹側部に上記機械的ファスナーの凸部材又は凹部材を係合可能な止着部が設けられている使い捨ておむつにおいて、
上記背側部のウエスト部及び腰回り部には、該背側部を腰回り方向に伸縮させる弾性伸縮部材が配設されており、
上記係合部材は、上記弾性伸縮部材の端部と重なって該弾性伸縮部材と連続するように配置され、且つ上記弾性伸縮部材の伸縮方向に伸縮可能になされており、
上記弾性伸縮部材は、複数本が配設されてなり、その一部が上記吸収体を横断し、他の一部は該吸収体を横断しておらず、
上記弾性伸縮部材は、腰回り方向において、伸長率１５０％に伸長時の応力が２００〜５００ｇｆであり、上記係合部材は、腰回り方向において、伸長率１５０％に伸長時の応力が５００〜１５００ｇｆであり、
脚回り伸縮部材が、その端部を上記係合部材に重ねた状態で配置されている
ことを特徴とする使い捨ておむつ。
【請求項２】
上記係合部材は、腰回り方向において、伸長率２００％に伸長時の応力が５００〜３０００ｇｆであり、腰回り方向における永久歪みが３０％以内であり、ヒステリシス損失が２０〜８０％であることを特徴とする請求項１に記載の使い捨ておむつ。
【発明の詳細な説明】
【０００１】
【発明の属する技術分野】
本発明は、液透過性の表面シート、液不透過性の裏面シート、及びこれらの両シート間に介在する吸収体を有し、着用時に着用者の腹側に位置する腹側部、背側に位置する背側部、該腹側部と該背側部との間に配置される股下部とが設けられており、上記背側部の左右両側縁部に機械的ファスナーの凸部材又は凹部材を備えた係合部材が連設され、上記腹側部に上記機械的ファスナーの凸部材又は凹部材を係合可能な止着部が設けられている使い捨ておむつに関し、更に詳しくは、フィット性の良好な使い捨ておむつに関する。
【０００２】
【従来の技術及び発明が解決しようとする課題】
一般に、液透過性の表面シート、液不透過性の裏面シート、及びこれらの両シート間に介在する吸収体を有し、着用時に着用者の腹側に位置する腹側部、背側に位置する背側部、及び該腹側部と該背側部との間に配置される股下部とが設けられており、上記背側部の左右両側縁部に機械的ファスナーの凸部材又は凹部材を備えた係合部材が連設され、上記腹側部に上記機械的ファスナーの凸部材又は凹部材を係合可能な止着部が設けられている展開型の使い捨ておむつは良く知られている。
この様な使い捨ておむつは、腹側部及び背側部の左右両側縁部にテープ状の係止部材が固着されている。
そしてこの様な使い捨ておむつにおいては、従来より、背側部のウエスト部の中央部に使い捨ておむつの幅方向に所定の長さで弾性伸縮部材を配設することが行われている。この様な従来の使い捨ておむつにおいては、上記背側部のウエスト部が上記弾性伸縮部材によって腰回り方向に伸縮されて装着者に良好にフィットし、横臥時等における背側部からの漏れが回避されるようになっている。
【０００３】
しかし、この様な従来の使い捨ておむつにおいても、まだウエスト部からの漏れが十分に回避できずに漏れが発生する場合があった。
【０００４】
従って、本発明の目的は、背側部からの漏れを確実に回避できる使い捨ておむつを提供することにある。
【０００５】
【課題を解決するための手段】
本発明は、液透過性の表面シート、液不透過性の裏面シート、及びこれらの両シート間に介在する吸収体を有し、着用時に着用者の腹側に位置する腹側部、背側に位置する背側部、該腹側部と該背側部との間に配置される股下部とが設けられており、上記背側部の左右両側縁部に機械的ファスナーの凸部材又は凹部材を備えた係合部材が連設され、上記腹側部に上記機械的ファスナーの凸部材又は凹部材を係合可能な止着部が設けられている使い捨ておむつにおいて、上記背側部のウエスト部及び腰回り部には、該背側部を腰回り方向に伸縮させる弾性伸縮部材が配設されており、上記係合部材は、上記弾性伸縮部材の端部と重なって該弾性伸縮部材と連続するように配置され、且つ上記弾性伸縮部材の伸縮方向に伸縮可能になされており、上記弾性伸縮部材は、複数本が配設されてなり、その一部が上記吸収体を横断し、他の一部は該吸収体を横断しておらず、上記弾性伸縮部材は、腰回り方向において、伸長率１５０％に伸長時の応力が２００〜５００ｇｆであり、上記係合部材は、腰回り方向において、伸長率１５０％に伸長時の応力が５００〜１５００ｇｆであり、脚回り伸縮部材が、その端部を上記係合部材に重ねた状態で配置されていることを特徴とする使い捨ておむつを提供することにより、上記目的を達成したものである。
【０００６】
【発明の実施の形態】
以下、本発明の使い捨ておむつの一実施形態を図面を参照しながら具体的に説明する。
図１は、本発明の使い捨ておむつの一実施形態を一部破断して示す平面図である。
【０００７】
本実施形態の使い捨ておむつ１は、液透過性の表面シート１１、液不透過性の裏面シート１２、及びこれらの両シート（表面シート１１及び裏面シート１２）間に介在する吸収体１３を有し、着用時に着用者の腹側に位置する腹側部Ａ、背側に位置する背側部Ｂ、及び該腹側部Ａと該背側部Ｂとの間に配置される股下部Ｃが設けられており、上記背側部Ｂの左右両側縁部Ｂ’’に機械的ファスナーの凸部材１４ａを備えた係合部材１４が連設され、上記腹側部Ａに上記機械的ファスナーの凸部材１４ａを係合可能な止着部（図示せず）が設けられている。
【０００８】
更に詳細には、上記表面シート１１及び裏面シート１２は、吸収体１３より長く且つ幅広に形成されており、該吸収体１３の周縁において表面シート１１と裏面シート１２とが接着されて、両シートに吸収体１３が挟持固定されている。また、表面シート１１、裏面シート１２、及び吸収体１３は、それぞれ中央部が括れた形状に形成されており、使い捨ておむつ１は、腹側部Ａ及び背側部Ｂが股下部Ｃに近づくにつれて細く形成され股下部Ｃが最も細く括れた砂時計断面状に形成されている。
【０００９】
上記表面シート１１としては、排泄物を吸収体１３へ透過させる液透過性及び肌着に近い感触を有したものが好ましく、例えば、織布、不織布、多孔性フィルム等が用いられる。また、この表面シート１１は、織布、不織布、多孔性フィルム等の周縁にシリコン系油剤、パラフィンワックス等の疎水性化合物を塗布する方法や、予めアルキルリン酸エステルのような親水性化合物を全体に塗布して周縁を温水で洗浄する方法により、撥水処理を施し、周縁における尿等の滲みによる漏れを防止したものとすることができる。
上記裏面シート１２としては、熱可塑性樹脂にフィラーを加えて延伸した液不透過性かつ蒸気透過性のフィルムシート、または繊維集合体が用いられる。
【００１０】
上記吸収体１３としては、解繊パルプを主材とした高分子吸水ポリマーを併用したものが好ましい。該高分子吸水ポリマーは、上記吸収体１３の上層、中層、下層のいずれに存在させてもよく、また、パルプと混合したものであってもよい。また、該高分子吸水ポリマーとしては自重の２０倍以上の液体を吸収して保持し得る保持性能を有し、ゲル化する性質を有する粒子状のものが好ましく、例えば、デンプン−アクリル酸（塩）グラフト共重合体、デンプン−アクリロニトリル共重合体のケン化物、ナトリウムカルボキシメチルセルロースの架橋物、アクリル酸（塩）重合体などが用いられる。
【００１１】
上記機械的ファスナーの凸部材１４ａとしては、凸部材を備えた凸型シートと、該凸部材と係合可能な凹部材を備えた凹型シートとよりなる公知の止着具の上記凸部材が特に制限なく用いられ、鉤形、きのこ形、錨形のもの等を用いることができる。
上記止着部（図示せず）は、上記凸部材１４ａと係合可能な、上記凹型シートや不織布等を備えることにより形成される。
【００１２】
そして、装着時には、上記凸部材１４ａを上記止着部（図示せず）に係合・止着させることにより、腹側部Ａの端縁部Ａ’及び背側部Ｂの端縁部Ｂ’によってウエスト開口部が形成され、腹側部Ａの側縁部Ａ’’、股下部Ｃの側縁部Ｃ’’、及び背側部Ｂの側縁部Ｂ’’によって脚開口部が形成されるようになっている。
この様な構成は、従来技術の展開型の使い捨ておむつと同じである。
【００１３】
次いで、上記実施形態の使い捨ておむつ１の特徴部分について説明する。
本実施形態の使い捨ておむつ１では、上記背側部Ｂの装着時にウエスト開口部を形成するウエスト部及び腰回りに配置される腰回り部に、該背側部Ｂを腰回り方向に伸縮させる弾性伸縮部材１５が配設されており、上記係合部材１４は、上記弾性伸縮部材１５に連続するように配置され、且つ上記弾性伸縮部材１５の伸縮方向に伸縮可能になされており、上記弾性伸縮部材１５は、少なくともその一部が上記吸収体１３を横断している。
【００１４】
上記弾性伸縮部材１５は、背側部Ｂの端縁部Ｂ’から３〜１０ｃｍまでの間にほぼ均等の間隔をあけて平行に複数本が配設されており、各弾性伸縮部材１５は背側部Ｂの側縁部Ｂ’’から側縁部Ｂ’’に亘っている。これらの弾性伸縮部材１５のうち吸収体１３を横断する弾性伸縮部材１５は背側部Ｂの側縁部Ｂ’’においては表面シート１１と裏面シート１２との間に挟持され、吸収体１３の配置されている背側部Ｂの中央部においては表面シート１１と吸収体１３との間に挟持されている。また、吸収体１３を横断しないものは、全長に亘って表面シート１１と裏面シート１２との間に挟持されている。
上記弾性伸縮部材１５としては、糸ゴム、平ゴム、フィルムタイプのゴム、あるいはフィルム状の発泡ポリウレタン等が好ましく挙げられ、腰回り方向において、伸長率１５０％に伸長時の応力が２００〜５００ｇｆのものを用いる。上記弾性伸縮部材１５は、腰回り方向において、最大伸長時における伸長率が１２０〜２００％のものが好ましい。
【００１５】
そして、上記係合部材１４は、背側部Ｂの側縁部Ｂ’’において表面シート１１と裏面シート１２との間に挟持固定されており、上記弾性伸縮部材１５の端部と重なって配置されて上記弾性伸縮部材１５と連続している。
この係合部材１４の表面シート１１及び裏面シート１２間への固定は、ヒートシール、超音波シール、接着剤による固着等の手法により行うことができる。弾性伸縮部材１５と係合部材１４との接合部において実質的に連続して良好に弾性が保持されるからである。
上記係合部材１４としては、スチレン系、オレフィン系、ウレタン系、エステル系エラストマーやこれらのエラストマーにスパンボンド不織布、ヒートロール不織布、スパンレース不織布を貼り合わせたもの等を用いることができ、上記不織布を構成する繊維としては、ポリオレフィン系繊維、ポリエステル系繊維、ナイロン系繊維、レーヨン、コットン等が用いられ、腰回り方向における伸長率２００％に伸長時の応力が５００〜３０００ｇｆであり、腰回り方向における永久歪みが３０％以内であり、ヒステリシス損失が２０〜８０％であるものが好ましい。上記係合部材１４は、腰回り方向における伸長率１５０％に伸長時の応力が５００〜１５００ｇｆのものを用いる。上記係合部材１４は、腰回り方向における伸長率２００％に伸長時の応力が１０００〜２５００ｇｆであり、腰回り方向における永久歪みが１０〜３０％のものがより好ましい。
【００１６】
上記係合部材１４は、使い捨ておむつ１の側方へいくに従い先細となっており、この係合部材１４の先端部の表面シート１１側の面に機械的ファスナーの凸型シートが固着されて上記凸部材１４ａが設けられている。
上記凸部材１４ａの係合部材１４への固着は、接着剤を介して又は熱融着等により行うことができる。
【００１７】
また、本実施形態の使い捨ておむつ１においては、腹側部Ａの側縁部Ａ’’、股下部Ｃの側縁部Ｃ’’、及び背側部Ｂの側縁部Ｂ’’の脚開口部を形成する部分を亘るように、脚回り伸縮部材１６が配設されており、装着時に形成される脚開口部が伸縮して装着者の脚回りにフィットするようになっている。
上記脚回り伸縮部材１６は、表面シート１１と裏面シート１２との間に挟持固定されており、上記背側部Ｂの側縁部Ｂ’’においては係合部材１４と重ねて配置されている。この脚回り伸縮部材１６の表面シート１１及び裏面シート１２への固定は、ヒートシール、超音波シール、接着剤による固着又はその他の手法により行うことができる。
上記脚回り伸縮部材１６としては、糸ゴム、平ゴム、フィルムタイプのゴム、あるいはフィルム状の発泡ポリウレタン等が好ましく挙げられ、脚回り方向における１５０％伸長時の応力が５０〜１５０ｇｆ、伸長率（最大伸長時長さ／自然長）が１２０〜２４０％のものが好ましい。
【００１８】
本実施形態の使い捨ておむつ１によると、係合部材１４が弾性伸縮部材１５の伸縮方向に伸縮可能になされており且つ上記弾性伸縮部材１５に連続するように配置されているので、装着時に、一方の係合部材１４から背側部Ｂのウエスト部及び腰回り部を亘って他方の係合部材１４までが連続して伸縮し、広い範囲に亘って良好なフィット性が保持されて背側部Ｂからの漏れを確実に回避することができる。
本実施形態の使い捨ておむつ１によると、弾性伸縮部材１５が吸収体１３に重なって配置され、吸収体１３が装着者に良好にフィットするので、体液の漏れを良好に回避することができる。
【００１９】
本実施形態の使い捨ておむつ１によると、脚回り伸縮部材１６がその端部を係合部材１４に重ねて配置されているので、装着時に脚回りが略全周に亘って伸縮し、脚回りにおけるフィット性が良好である。
【００２０】
本発明は上述した実施形態に限定されるものではなく、各部材の具体的な形状、寸法等は、本発明の趣旨を逸脱しない限り適宜変更可能である。
例えば、上記弾性伸縮部材１５は、ウエスト部及び腰回り部に、該腰回り方向に伸縮可能に配設され、その一部が吸収体１３を横断していれば、複数本の個々の弾性伸縮部材１５は、均等且つ平行な間隔をあけて配設されていなくてもよい。
また、上記係合部材１４は、弾性伸縮部材１５に連続するように配置され、且つ弾性伸縮部材１５の伸縮方向に伸縮可能になされていれば、背側部Ｂ側と先端側とで異なる材料を用いて形成したものでも良い。
【００２１】
また、上記係合部材１４の凸部材１４ａは、機械的ファスナーの凸型シートを固着せずに、直接係合部材１４に形成したものとすることもできる。
係合部材１４には機械的ファスナーの凹部材を設け、止着部を機械的ファスナーの凸部材を備えたものとすることもできる。
【００２２】
【発明の効果】
以上説明したように、本発明の使い捨ておむつによれば、背側部からの漏れを確実に回避可能である。
【図面の簡単な説明】
【図１】本発明の使い捨ておむつの一実施形態を一部破断して示す平面図である。
【符号の説明】
１      使い捨ておむつ
１１      表面シート
１２      裏面シート
１３      吸収体
１４      係合部材
１４ａ    凸部材
１５      弾性伸縮部材
１６      脚回り伸縮部材
Ａ      腹側部
Ａ’    （腹側部の）端縁部
Ａ’’  （腹側部の）側縁部
Ｂ      背側部
Ｂ’    （背側部の）端縁部
Ｂ’’  （背側部の）側縁部
Ｃ      股下部
Ｃ’’  （背側部の）側縁部
【図１】
0003654727.tif 000002